(57)【特許請求の範囲】
【請求項１】
配水管における給水管の分岐部位に、配水管に穿孔される給水管分岐穿孔に連通されると共に給水管を接続させるサドル付分水栓体における穿孔口によって、給水管分岐穿孔に装着される錆止め用の密着コアの装着状況を確認検査する確認検査方法において、穿孔口内部を透視可能とするよう、穿孔口に水密的に取り付けられた透明材製の透視覗き窓に照明部分を装入配置し、穿孔口内を照明して密着コアの装着状況を視認することを特徴とした配水管等からの給水管分岐穿孔における密着コアの装着状態の確認検査方法。
【請求項２】
照明部分は、照明電球あるいは先端側で照射可能な導光線材としてある請求項１に記載の配水管等からの給水管分岐穿孔における密着コアの装着状態の確認検査方法。
【請求項３】
配水管における給水管の分岐部位に、配水管に穿孔される給水管分岐穿孔に連通されると共に給水管を接続させるサドル付分水栓体における穿孔口によって、給水管分岐穿孔に装着される錆止め用の密着コアの装着状況を確認検査する確認検査装置において、サドル付分水栓体における穿孔口に水密的に装着される取付ベースと、この取付ベースに取り付けられて穿孔口内に配置される照明支持部を備えた透明な透視覗き窓と、照明支持部を経て穿孔口内を照明する照明部分を有し、透視覗き窓に接続される内部照明機構とを備えたことを特徴とする配水管等からの給水管分岐穿孔における密着コアの装着状態の確認検査装置。
【請求項４】
透視覗き窓は、取付ベースに開口形成した窓開口部に取付ベースの内方側から嵌め合わせられる段部状の嵌合段部を上部に、穿孔口内に至るようにした照明支持部を下部に配することで透明素材にて一体に形成されていて、照明支持部には内部照明機構の照明部分を装入配置する装入穴を設けて成る請求項３に記載の配水管等からの給水管分岐穿孔における密着コアの装着状態の確認検査装置。
【請求項５】
取付ベースと透視覗き窓とは透明素材によって一体形成してある請求項３に記載の配水管等からの給水管分岐穿孔における密着コアの装着状態の確認検査装置。
【請求項６】
内部照明機構の照明部分は、照明電球あるいは先端側で照射可能な導光線材としてある請求項３乃至５のいずれかに記載の配水管等からの給水管分岐穿孔における密着コアの装着状態の確認検査装置。
【発明の詳細な説明】
【技術分野】
【０００１】
本発明は、主として上水道用の本管である配水管から一般家庭その他の各顧客に上水を分岐供給させるよう給水管を配水管に接続するとき、配水管に開穿した給水管分岐穿孔における錆止め等のために給水管分岐穿孔内縁に強制装着される密着コアの装着状態を、配水管を断水させることなく確認検査できるようにした配水管等からの給水管分岐穿孔における密着コアの装着状態の確認検査方法及びその確認検査装置に関する。
【背景技術】
【０００２】
上水道用の本管である配水管から各顧客に上水を供給するには、各顧客に通じる給水管を配水管からサドル付分水栓体を介して分岐接続している。すなわち分岐接続には、分岐箇所でサドル付分水栓体を装着しておき、分水栓体の開閉操作と共に、配水管に対する給水管分岐穿孔の穿孔、分水栓体への給水管の接続等を行い、また、穿孔した給水管分岐穿孔内縁から生じ得る錆を防止するために、上水と給水管分岐穿孔内縁とを遮断する錆止め用の密着コアを給水管分岐穿孔に強制的に嵌め込み挿入している。
【０００３】
ところが、この密着コアが給水管分岐穿孔内できっちりと嵌り込んでいないと、給水管分岐穿孔の穿孔端面に錆が発生し赤水や水の出不良の原因となり、装着不完全による密着コア離脱に伴う異常音が発生することにもなる。そうすると、配水管を一時的に断水処理し、その不良箇所での掘削露出、再穿孔、錆の除去、密着コアの装着等の一連の工事を再度実施せざるを得ず、しかも、この作業中の断水によって近隣住民等に対し多大な迷惑をかける結果となる。
【０００４】
こうした現況に鑑み、密着コアの確実な装着、装着状況の確認検査等が作業終了後で実施される必要がある。例えば特許文献１に示される配水管の分岐口保護構造及び分岐口用保護ブッシュ及び保護ブッシュ装着方法であり、特許文献２に示される密着コア挿入取付け具への密着コア係止方法と係止具であり、特許文献３に示される管体用内視鏡である。特許文献１に係る保護ブッシュの装着は、保護ブッシュを特定位相位置にして分岐管部に送り込み後、所定角度で回転させることで保護ブッシュを分岐管部に係止状態で仮止め保持し、保護ブッシュに設けてある吸水膨潤性ゴム層を吸水膨潤させることで保護ブッシュを固定するとする。特許文献２に係る密着コアは、拡縮自在なフランジ体を有する係止リングを密着コア挿入取付具の先端に装着しておき、密着コア下端でフランジ体を拡開させることで挿入取付け具の先端部に密着コアを係止できるようにし、この係止した密着コアを穿孔部に強制的に圧入するとする。特許文献３に係る内視鏡は、管体内部に挿入される内視鏡本体における開口部に、所定角度で傾斜して対向配置した反射鏡と、管体内部を照射する発光部とを設けて成るとする。
【先行技術文献】
【特許文献】
【０００５】
【特許文献１】特開２００７−１９２３０８号公報
【特許文献２】特開２００８−１６４０４７号公報
【特許文献３】実開平７−３４４１２号公報
【発明の概要】
【発明が解決しようとする課題】
【０００６】
上述した特許文献１の保護ブッシュを使用した装着方法によると、分岐管部に設けた係止部に通過する凹部を保護ブッシュに形成し、分岐口を通過後の保護ブッシュを所定角度で回転して係止部に係止させるとするから、係止部と凹部との位置合わせが必要で面倒であり、また吸水膨潤性ゴム層を設けることは構成を複雑にする結果となる。特許文献２の密着コアは、係止リングのフランジ体によって挿入取付具に装着されることで分水栓通水口に挿入されるとするも、通水口に対する正位置にきっちりと挿入固定されるとは限らない。特許文献３の内視鏡は、管体内部を鮮明に見ることができても、管体内に挿入して分岐口位置まで移動し、回転等の操作を行わなければならず、また挿入のための管体に対する開口部の形成が必要で、場合によっては一時的にでも断水処理を実施せざるを得ず、また内視鏡自体が高価であるから、作業現場で簡単に使用できない。
【０００７】
そこで本発明は上述したような従来存した諸事情に鑑み創出されたもので、その目的は配水管に給水管を接続するときに配水管に穿孔した給水管分岐穿孔に強制装着される錆止め用の密着コアの装着状態を、配水管を断水させることなく確認検査できるようにし、その確認検査は作業現場において作業直後でも分岐箇所を直接に視認することで、簡単に行うことができるようにした配水管等からの給水管分岐穿孔における密着コアの装着状態の確認検査方法及びその確認検査装置に関する。
【課題を解決するための手段】
【０００８】
上述した課題を解決するため、本発明に係る配水管等からの給水管分岐穿孔における密着コアの装着状態の確認検査方法にあっては、配水管（公設管及び私有管を含む、以下同様）Ｂにおける給水管Ｐの分岐部位に、配水管Ｂに穿孔される給水管分岐穿孔Ｈに連通されると共に給水管Ｐを接続させるサドル付分水栓体２０における穿孔口３５によって、給水管分岐穿孔Ｈに装着される錆止め用の密着コアＣの装着状況を確認検査するもので、穿孔口３５内部を透視可能とするよう、穿孔口３５に水密的に取り付けられた透明材製の透視覗き窓３に照明部分（１１，１４）を装入配置し、穿孔口３５内を照明して密着コアＣの装着状況を視認することを特徴とする。
照明部分（１１，１４）は、照明電球１１あるいは先端側で照射可能な導光線材１４として構成することができる。
また、この確認検査方法に使用される確認検査装置にあっては、サドル付分水栓体２０における穿孔口３５に水密的に装着される取付ベース１と、この取付ベース１に取り付けられて穿孔口３５内に配置される照明支持部６を備えた透明な透視覗き窓３と、照明支持部６を経て穿孔口３５内を照明する照明部分（１１，１４）を有し、透視覗き窓３に接続される内部照明機構１０とを備えたことを特徴とする。
透視覗き窓３は、取付ベース１に開口形成した窓開口部２に取付ベース１の内方側から嵌め合わせられる段部状の嵌合段部４を上部に、穿孔口３５内に至るようにした照明支持部６を下部に配することで透明素材にて一体に形成されていて、照明支持部６には内部照明機構１０の照明部分（１１，１４）を装入配置する装入穴７を設けることで構成することができる。
取付ベース１と透視覗き窓３とは透明素材によって一体形成することもできる。
内部照明機構１０の照明部分（１１，１４）は、照明電球１１あるいは先端側で照射可能な導光線材１４として構成することができる。
【０００９】
以上のように構成された本発明に係る配水管等からの給水管分岐穿孔における密着コアの装着状態の確認検査方法及びその確認検査装置にあって、配水管Ｂから給水管Ｐを分岐接続させるときに配水管Ｂに穿孔される給水管分岐穿孔Ｈに装着される錆止め用の密着コアＣを、その分岐部位に装着されるサドル付分水栓体２０における穿孔用、挿入用の穿孔口３５から直接に視認させることでその装着状況を確認検査させる。
取付ベース１は、サドル付分水栓体２０における穿孔口３５に取り付けられることで、透明な透視覗き窓３を穿孔口３５内に位置決めさせ、透視覗き窓３内に装入配置される内部照明機構１０の照明部分（１１，１４）は穿孔口３５内を照明させ、給水管分岐穿孔Ｈに装着されることになる密着コアＣの装着状況を直接に視認させる。
一体化された取付ベース１と透視覗き窓３とは取り扱いを容易にし、サドル付分水栓体２０の穿孔口３５に取り付けた状態で内部照明機構１０による穿孔口３５内の照明、密着コアＣの装着確認作業を一層円滑にさせる。
【発明の効果】
【００１０】
本発明は以上説明したように構成されているため、配水管Ｂに給水管Ｐを接続するときに配水管Ｂに穿孔した給水管分岐穿孔Ｈに強制装着される錆止め用の密着コアＣの装着状態を、給水管Ｐを分岐させるためのサドル付分水栓体２０の穿孔口３５から直接に視認することで確認検査できる。しかもその確認検査は、配水管Ｂを断水させることなく、そのサドル付分水栓体２０における開閉弁３８の開閉操作と関連して確認検査でき、その確認検査は作業現場において作業直後でも分岐箇所を直接に照明して視認することで、簡単に行うことができる。
【００１１】
すなわちこれは本発明において、配水管Ｂにおける給水管Ｐを分岐接続させるために配水管Ｂに装着されるサドル付分水栓体２０における給水管分岐穿孔Ｈを穿孔するための、また、密着コアＣを装着するための穿孔口３５内部を透視可能とするよう、穿孔口３５に水密的に取り付けられた透明材製の透視覗き窓３に照明部分（１１，１４）を取付ベース１によって装入配置し、内部照明機構１０によって穿孔口３５内を照明して密着コアＣの装着状況を視認するようにしたからである。これによって、配水管Ｂを断水せずに密着コアＣの装着状態の直接の視認、しかも作業実施直後での確認を可能にし、例えば後日における装着状態の誤設置が判明したときの再作業のための配水管Ｂの断水処理作業等を要せず、ユーザーに対する上水供給責任を果たすことができる。
【００１２】
また、サドル付分水栓体２０における穿孔口３５に水密的に装着される取付ベース１と、この取付ベース１に取り付けられて穿孔口３５内に配置される照明支持部６を備えた透明な透視覗き窓３と、照明支持部６を経て穿孔口３５内を照明する照明部分（１１，１４）を有し、透視覗き窓３に接続される内部照明機構１０とを備えているから、給水管分岐穿孔Ｈを穿孔するための、また密着コアＣを装着するための穿孔口３５を利用して、穿孔口３５内を照明して直接に視認するものとなり、密着コアＣの装着状態を直接に、確実に確認検査できる。
【００１３】
取付ベース１と透視覗き窓３とを透明素材にて一体形成することで、作業現場で穿孔口３５にこれらを簡単に取り付けることができ、作業の簡素化に役立ち、取り扱い性を一層容易にし、更には内部照明機構１０の照明部分（１１，１４）の装入配置をも容易にすることができる。
【００１４】
内部照明機構１０の照明部分（１１，１４）は、照明電球１１あるいは離隔場所に配置の照明電球１１による照光を導光する導光線材１４の先端側としてあり、照明支持部６が透明素材製で穿孔口３５内に配置されていることと相俟ち、穿孔口３５内下方の給水管分岐穿孔Ｈの密着コアＣを的確に照明でき、その装着状況を確実に視認できる。
【００１５】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１６】
【図１】本発明を実施するための一形態における配水管の配管方向に沿った使用状態の縦断面図である。
【図２】同じく配水管の給水管分岐穿孔に密着コアを装着し、給水管を接続したときの縦断面図である。
【図３】同じく使用手順の一例を示す概略断面図であり、その（Ａ）は配水管にバルブ付分水栓体を装着したとき、（Ｂ）は穿孔機によって給水管分岐穿孔を穿孔するとき、（Ｃ）は給水管分岐穿孔の穿孔後で、穿孔機を取り外したとき、（Ｄ）は密着コアを先端に取り付けた挿入機をバルブ付分水栓体に装着したとき、（Ｅ）は挿入機によって密着コアを給水管分岐穿孔に強制的に挿入するとき、（Ｆ）は密着コアの装着後で、挿入機を取り外したとき、（Ｇ）は密着コアの装着状態を確認、検査後で給水管を接続したときである。
【図４】同じく他の実施の形態における使用状態の断面図である。
【発明を実施するための形態】
【００１７】
以下、図面を参照して本発明を実施するための一形態を説明すると、図において示される符号１は上水道用の本管である公設、私有等に係る配水管Ｂ等に装着したサドル付分水栓体２０における穿孔口３５に着脱自在に取り付け固定される取付ベースである。この取付ベース１には、穿孔口３５を閉塞した状態で穿孔口３５内を直接に覗かせる透明な例えば合成樹脂製の透視覗き窓３が設けられている。そして、取付ベース１ないし透視覗き窓３に配した内部照明機構１０による照明と共に、この透視覗き窓３を経て穿孔口３５内を覗き、配水管Ｂに穿孔した給水管分岐穿孔Ｈに嵌め入れられる錆防止用の密着コアＣの装着状況を直接に視認、確認できるようにしてある。
【００１８】
しかして、本発明に係る確認検査方法、装置は、サドル付分水栓体２０における弁座３１の穿孔口３５を利用して取り付けられ、また実施されるのであり、前記取付ベース１は穿孔口３５にねじ止めされることで水密的に閉塞するように頂壁部、周壁部から成るキャップ状を呈する袋ナットから成り、周壁部内周面には、穿孔口３５の雄ネジにねじ込まれる雌ネジが形成されている。穿孔口３５へのねじ止め後では、上水が有している供給水圧によっても離脱されないようにしてある。
【００１９】
この取付ベース１の頂壁部には、頂壁部に開口形成した窓開口部２に透視覗き窓３が設けられており、図示例にあっての透視覗き窓３は、窓開口部２に取付ベース１の内方側から嵌め合わせられる段部状の嵌合段部４を上部に、穿孔口３５内に至るようにした照明支持部６を下部に配することで例えばアクリル樹脂等の透明素材にて一体に形成されている。嵌合段部４は、窓開口部２の内径に比し大きくはない外径にした嵌合部分と、窓開口部２周縁である頂部壁の内側面に当接するよう窓開口部２の内径に比し大径にした当接部分とから成る。尚、嵌合部分は窓開口部２内にぴったりと嵌り込み、当接部分は窓開口部２周縁にがたつくことなく当接するように形成するようにしておくことが望ましい。また、図示例のように、取付ベース１が穿孔口３５にねじ止めされるとき、嵌合段部４の下面は穿孔口３５の上端面に例えばパッキン材５を介して水密的に接合し、上水を窓開口部２、穿孔口３５から漏出させないようにしている。
【００２０】
照明支持部６は、透視覗き窓３自体が嵌合段部４によって取付ベース１の頂壁部に嵌め合わされたときで取付ベース１下方に突出した状態となり、取付ベース１が穿孔口３５にねじ止めされたときには穿孔口３５内に配置されるのであり、配置されたとき、後述するサドル付分水栓体２０の弁座３１内の開閉弁３８の揺動開閉作動を阻害しない長さ（高さ）となっている（図１、図２参照）。また、開閉弁３８が開放されたときには上水中に浸漬状態となるも、窓開口部２から上水を漏水させないようにしている。
【００２１】
この照明支持部６は、内部照明機構１０における照明部分（１１，１４）を自身の内部に外部から装入配置させ、その照明部分（１１，１４）によって照明支持部６自体の光透過性で配水管Ｂにおける給水管分岐穿孔Ｈ、すなわちこの給水管分岐穿孔Ｈに装着した密着コアＣを照明するものとしてある。照明部分（１１，１４）の照明支持部６内への装入配置は、例えば前記嵌合段部４の上面から照明支持部６の底部近傍位置まで、照明支持部６の底部外には突き抜けないようにして形成してある装入穴７に装入される。照明に際し、照明支持部６自体の光透過性、透明性によって照明を拡散させ、必要があれば、照明支持部６外側面にレンズ面を形成して給水管分岐穿孔Ｈに対する照明の散乱あるいは集束作用が得られるようにしても良い。
【００２２】
内部照明機構１０は、透視覗き窓３における照明支持部６内に装入配置される白熱豆電球、ＬＥＤ電球・素子の如き照明電球１１と、この照明電球１１に電気的に接続されている電源１２とから成り、図示のように、電源１２と照明電球１１との間は電線によって接続されていて、例えば電源側に配したスイッチ１３にてＯＮ−ＯＦＦされる。
【００２３】
また、図４には別の実施の形態が示されている。この実施の形態では、取付ベース１と透視覗き窓３とを透明素材例えば透明なアクリル樹脂にて一体形成して成り、例えば平面で６角形を呈する取付ベース１部分における筒部内周面に穿孔口３５にねじ止めされる雌ネジを形成し、取付ベース１の頂部に連続している円柱状の透視覗き窓３に照明支持部６を設けたのである。こうすることで、例えば金属製の袋ナットの如き取付ベース１と透明なアクリル樹脂製の透視覗き窓３とを別個に形成して組み合わせる手間を省くことができ、現場における使用勝手を向上できる。
【００２４】
更に、この実施の形態での内部照明機構１０は、電源１２によって照光される照明電球１１を基端側に有し、透視覗き窓３に１個あるいは複数個で設けた装入穴７それぞれに先端側が装入される所定径の光ファイバーの如き導光線材１４を備えたものである。こうすることで、導光線材４それぞれの先端縁あるいは先端側から穿孔口３５内を照射でき、複数の導光線材１４を透視覗き窓３の複数箇所から照射することで穿孔口３５内全域を満遍なく照射できる利点がある。
【００２５】
尚、取付ベース１ないし透視覗き窓３と、内部照明機構１０とを別個に形成しておき、現場において組み立てることも、これらを一体状に構成しておいても良いのである。
【００２６】
ここで、配水管Ｂ及びこの配水管Ｂに装着されるサドル付分水栓体２０につき、説明すると、配水管Ｂは、上水供給源である浄水場施設（図示せず）から配管されてユーザーである例えば一般家庭における宅地に至るまでに配管されており、この配水管Ｂから各戸別に上水を供給する給水管Ｐを、配水管Ｂに装着したサドル付分水栓体２０それぞれを介して分岐接続してある。このサドル付分水栓体２０は、上水を分岐供給すべき配水管Ｂ部位にこれを囲繞して取り付けられるもので、開口部２４を備えているねじ止め式のサドル２１と、このサドル２１の開口部２４を覆うようにしてベース部３２に連結され、開口部２４に連通する給水管口３４及び穿孔口３５それぞれを開閉させるよう外部操作で揺動される開閉弁３８を備えた弁座３１とを有して成る。
【００２７】
サドル２１は、配水管Ｂの下側に沿って配される下部サドル部２２と、配水管Ｂの上側に沿って配され、所定大きさの開口部２４が形成されている上部サドル部２３とが、それぞれに翼片状に設けられて対峙する装着フランジ２５によってねじ止めされることで配水管Ｂに装着されるようになっている。
【００２８】
また、弁座３１は、上部サドル部２３上にねじ止めされるベース部３２に、配水管Ｂに直交する方向の一方に給水管口３４を設け、配水管Ｂの直上方向に穿孔口３５を設けてある弁筐体３３を一体に形成し、この弁筐体３３内には、給水管口３４に連通する吸水連通口３６が開口端になっていて、穿孔口３５・給水管口３４それぞれに連通する穿孔挿通孔３７が筒部壁に穿設形成されている筒状の開閉弁３８を、この開閉弁３８の中心軸を中心として揺動可能にして内装すると共に、給水管口３４とは反対側の弁筐体３３の外部位に配した操作軸３９を開閉弁３８に連繋して成る。尚、給水管口３４、穿孔口３５それぞれは、これらの開口部分周囲に雄ネジが形成されていて、給水管口３４には給水管Ｐが、穿孔口３５には配水管Ｂに給水管分岐穿孔Ｈを穿孔するための穿孔機４０、穿孔後の給水管分岐穿孔Ｈに密着コアＣを装着するための挿入機５０等が連結され、作業終了後では袋ナットである蓋栓Ｆによってねじ止め閉塞されるようになっている。
【００２９】
次に配水管Ｂに給水管Ｐを分岐接続するときに穿孔された給水管分岐穿孔Ｈに密着コアＣが正位置で装着されているか否かにつき、確認検査する手順を図３によって説明する。各戸別に上水を供給すべく、配水管Ｂに接続される給水管Ｐを分岐すべき配水管Ｂにおける分岐部位にサドル付分水栓体２０を装着する（図３（Ａ）参照）。このサドル付分水栓体２０における弁座３１の穿孔口３５に穿孔機４０を水密的に取り付けた後、操作軸３９の揺動操作で開閉弁３８を開放して穿孔挿通孔３７を穿孔口３５に合致させ、穿孔機４０の穿孔ドリル４１によって配水管Ｂに給水管分岐穿孔Ｈを穿孔する（図３（Ｂ）参照）。給水管分岐穿孔Ｈの穿孔後は、開閉弁３８を閉塞した状態で穿孔機４０を取り外し（図３（Ｃ）参照）、挿入棒５１先端に、例えば挿入棒５１先端を拡径することで密着コアＣを抜脱させることなく取り付けた挿入機５０を穿孔口３５に水密的に取り付ける（図３（Ｄ）参照）。次いで、挿入機５０の挿入棒５１を下降させて密着コアＣを給水管分岐穿孔Ｈに強制的に挿入する。この挿入時には、密着コアＣの外側面における上部の大径部の下端縁が給水管分岐穿孔Ｈの外側周縁に係止する一方、密着コアＣ内部に組み合わせてあるステンレス製の装入固定筒Ｃ１が更に下降して密着コアＣの下部の小径部を拡開させて給水管分岐穿孔Ｈの内側周縁に係止させる（図３（Ｅ）参照）。その後、挿入棒５１下端を縮径した状態で密着コアＣから分離させることで密着コアＣを残して挿入棒５１のみを上昇させ、開閉弁３８を閉塞させてから挿入機５０を取り外す（図３（Ｆ）参照）。
【００３０】
このようにして密着コアＣが給水管分岐穿孔Ｈに装着された段階で、密着コアＣの装着状況が確認検査されるのであり、開閉弁３８を閉塞させた状態で図１、図２に示すように取付ベース１を穿孔口３５にねじ止めする等によって装着すると共に、内部照明機構１０を透視覗き窓３に接続配置し、その後、開閉弁３８を開放して、配水管Ｂにおける密着コアＣ側、穿孔口３５内を照明し、透視覗き窓３を直接に覗き込むこと等で密着コアＣの装着状況を確認する。正位置に装着されていれば密着コアＣの装着作業は終了となり、もし傾斜していたり、歪んでいたりすれば取り外し後に別の密着コアＣの装着作業を再度実施する。
【００３１】
確認検査後では、開閉弁３８を閉塞して取付ベース１、内部照明機構１０を取り外し、穿孔口３５を蓋栓Ｆにて閉塞する一方、給水管口３４に給水管Ｐを接続したり（図３（Ｇ）参照）、あるいは後日の給水管Ｐの接続のために給水管口３４を蓋栓Ｆにて閉塞しておく。
【符号の説明】
【００３２】
Ｂ…配水管                              Ｃ…密着コア
Ｃ１…装入固定筒                        Ｆ…蓋栓
Ｈ…給水管分岐穿孔                      Ｐ…給水管
１…取付ベース                          ２…窓開口部
３…透視覗き窓                          ４…嵌合段部
５…パッキン材                          ６…照明支持部
７…装入穴７
１０…内部照明機構                      １１…照明電球
１２…電源                              １３…スイッチ
１４…導光線材
２０…サドル付分水栓体                  ２１…サドル
２２…下部サドル部                      ２３…上部サドル部
２４…開口部                            ２５…装着フランジ
３１…弁座                              ３２…ベース部
３３…弁筐体                            ３４…給水管口
３５…穿孔口                            ３６…給水連通口
３７…穿孔挿通孔                        ３８…開閉弁
３９…操作軸
４０…穿孔機                            ４１…穿孔ドリル
５０…挿入機                            ５１…挿入棒
【図１】
0005509177.tif 000002
【図２】
0005509177.tif 000003
【図３】
0005509177.tif 000004
【図４】
0005509177.tif 000005